(57)【要約】      （修正有）【課題】水銀表示ユニット及びディスプレーユニットの一つが故障しても血圧及び脈拍を測定できる血圧計の表示装置を提供すること。【解決手段】本体には、上蓋及び底蓋を備え、前記上蓋及び底蓋にはそれぞれ水銀表示機及びディスプレーユニットを設け、且つディスプレーユニットの中に８個の発光部品を設け、各発光部品をそれぞれ異なる色で表し、ユーザーが測定値を知ることが出来るようにした。【選択図】図１
0003105854.tif 000002
【実用新案登録請求の範囲】
【請求項１】
血圧計の表示装置であって、
上蓋及び底蓋の一端が相互に枢着した形で、回動自在に開閉でき、且つ上蓋と底蓋の連結部の両側がＵ字形のホルダーによって枢着され、前記上蓋と底蓋の対応面には、それぞれ凹部を設け、二つの凹部が対向する形態をなした本体と、
底蓋の対応面にある上蓋の凹部にはめ込まれた水銀柱の両側に目盛り部を設け、測定値を読み取れるようにした水銀表示機と、
マイクロプロセッサーと、液晶ディスプレー・パネル及び8個以上の発光部品によって構成されたディスプレーユニットと、を含み、
前記マイクロプロセッサーは、装置全体の作動を制御し、且つ液晶ディスプレー・パネル及び発光部品によって血圧の数値状態を示し、前記ディスプレーユニットは、底蓋の凹部にはめ込まれ、前記水銀表示機と対応する形態で設置されたことを特徴とする血圧計の表示装置と、
腕帯及びホースを備えた測定装置と、を含み、
前記腕帯とディスプレー装置は前記ホースによって接続され、血圧計の表示装置が使用される時、前記ホースが空気を腕帯へ送って充満させることを特徴とする、
測定装置。
【請求項２】
前記底蓋のフリーサイドに嵌合かぎを設けたことを特徴とする、請求項１に記載の血圧計の表示装置。
【請求項３】
前記上蓋のフリーサイドに嵌合穴を設け、上蓋と底蓋が重なって閉じられた時、前記底蓋の嵌合かぎが上蓋の嵌合穴の中に嵌ることを特徴とする、請求項２に記載の血圧計の表示装置。
【請求項４】
各発光部品は、発光ダイオードであることを特徴とする、請求項１に記載の血圧計の表示装置。
【請求項５】
各発光部品は、それぞれ赤・黄・緑・白等の色によって構成されたことを特徴とする、請求項４に記載の血圧計の表示装置。
【請求項６】
上蓋及び底蓋は、対応する形態をなしていることを特徴とする、請求項１に記載の血圧計の表示装置。
【請求項７】
各発光部品は、それぞれ発光ダイオードの色によって表す、例えば、赤色は収縮圧１４０以下、拡張圧９０以下を表し、黄色は収縮圧１３１〜１３９、拡張圧８５〜８９を表し、緑色は収縮圧９０〜１３０、拡張圧５０〜８４を表し、白色は収縮圧０以上、拡張圧５０以上を表すことを特徴とする、請求項４に記載の血圧計の表示装置。
【考案の詳細な説明】
【技術分野】
【０００１】
本考案は、血圧計の表示装置、特に水銀表示装置及びディスプレー装置を備え、二種類の形態で表示できる血圧計の表示装置に関する。
【背景技術】
【０００２】
現在市販されている従来の血圧計表示装置は、対向した形で矩形をなす上蓋及び底蓋からなる本体を備え、前記上蓋と底蓋の一端は相互に枢着し、回動自在に開閉できるようになっている。前記上蓋と底蓋の対応面には、それぞれ対応する凹部が形成され、上蓋の凹部には水銀の入った水銀柱を備える水銀表示機がはめ込まれ、且つ水銀柱の両側には目盛りが刻まれ、水銀が圧力を受けて上昇する時の高度を示すようになっている。
使用するときは、水銀柱の中に入れられた水銀が、血管の圧力に押されて、水銀柱の中に入れられた水銀を上に向かって押し上げ、ユーザーは前記目盛りによって血圧の値を知ることができる。
【考案の開示】
【考案が解決しようとする課題】
【０００３】
然るに、上記した従来の血圧計の表示装置には、水銀の表示装置しかないため、ユーザーは前記水銀表示装置によってのみ測定した血圧値を知ることができるが、前記水銀表示装置の中の水銀柱が故障した場合は、血圧計の表示装置がその機能を失う。
このため、特許公告第５６９７６５号の血圧計表示装置の血圧数値状態表示システムに見られるように、血圧計表示装置上の水銀表示機にマイクロプロセッサー及び数値表示機とランプ・インジケーターとを備えた数値状態表示システムを設け、前記ランプ・インジケーターによってその測定値がわかるようにしているものもある。
しかし、この設計は、水銀柱の中の水銀が故障したとき機能が失われる現象を避けることは出来るが、血圧を記録すると同時に脈拍を測定する機能が欠けている。
このように、上記した従来の装置は幾多の欠点があり、よい設計とは言い難く、改良が待たれていた。
本考案者は、上記従来型血圧計の表示装置によって派生する各項の欠点に鑑み、極力新規改善を目指し、且つ長年苦心研鑽の末、ついに本考案に係る血圧計の表示装置の研究開発に成功した。
【０００４】
本考案の目的は、装置の本体に水銀表示機及びディスプレーユニットを備え、且つ前記ディスプレーユニットの中に赤・黄・緑・白などの色を発光する数個の発光部品を設け、ユーザーの各種のニーズに応じて表示できる血圧計の表示装置を提供することである。
本考案のもう一つの目的は、前記ディスプレーユニットの中に数個の発光部品を設け、該発光部品のランプが表示する色によって、ユーザーが容易に血液の圧力値を知ることができる血圧計の表示装置を提供することである。
本考案のもう一つの目的は、従来の水銀表示ユニット及びディスプレーユニットを備え、その内の一つが壊れた場合でも、故障現象を避けられる血圧計の表示装置を提供することである。
更に本考案のもう一つの目的は、ディスプレーユニットの演算アンプによって血圧及び脈拍を測定できる機能を持つ血圧計の表示装置を提供することである。
【課題を解決するための手段】
【０００５】
本考案に係る血圧計の表示装置は、その上蓋及び底蓋の一端が相互に枢着して回動自在に開閉できる形態をなし、且つ上蓋及び底蓋の連結部の両側にはＵ字形のホルダーが枢着され、前記上蓋及び底蓋の対応面には、対向する凹部が設けられた本体と、底蓋の相対面に水銀柱を設け、前記水銀柱の両側に目盛りを刻んで測定値が読み取れるようにした水銀表示機と、底蓋の凹部において前記水銀表示機に対向して設置され、装置全体の作動を制御し、且つ液晶ディスプレー・パネル及び発光部品によって血圧数値状態を示すマイクロプロセッサーと液晶ディスプレー・パネル及び８個以上の発光部品によって構成されたディスプレー装置と、腕帯及びホースを備えた測定装置と、を含む。前記腕帯とディスプレー装置は前記ホースによって接続され、血圧計の表示装置が使用される時、前記ホースが空気を腕帯へ送って充満させる。
【考案の効果】
【０００６】
本考案が提供する血圧計表示装置は、従来の技術と比較した場合に以下のような長所がある。
（１）本考案に係る血圧計の表示装置は、従来の水銀表示機のほかに別途液晶ディスプレー・パネル３２を設けており、この液晶ディスプレー・パネルによって、ユーザーは容易に血圧値を知ることが出来る。
（２）ディスプレーユニットの中に数個の発光部品を設け、この発光部品のランプインジケーターと前記発光部品の色とによって、ユーザーは血液の圧力を知ることが出来る。
（３）本考案に係る血圧計の表示装置は、従来の水銀表示機及びディスプレーユニットを備えている。従って、ふたつのディスプレー装置の内の一つが故障しても、血圧計が機能を失うようなことはない。
（４）本考案に係る血圧計の表示装置は、ディスプレーユニットに設けたマイクロプロセッサーが血圧及び脈拍を測定する機能を持っている。
【考案を実施するための最良の形態】
【０００７】
図１〜図３は、本考案が提供する血圧計の表示装置であり、本体１は測定結果を示す水銀表示機２、ディスプレー装置３及び測定装置４と含む。
【０００８】
前記本体１には、その一端が相互に枢着し、対向した形態で矩形をなす上蓋１１及び底蓋１２が設けられ、前記上蓋１１及び底蓋１２の連結部の両側はU字形のホルダー４によって枢着され、前記上蓋１１及び底蓋１２の対応面にはそれぞれ凹部１１１及び１２１が設けられ、且つ上蓋１１及び底蓋１２のホルダー４付近に嵌合穴１１２及び嵌合かぎ１２２を設けることによって、上蓋１１及び底蓋１２を閉じたとき、底蓋１２の嵌合かぎ１２２が上蓋の嵌合穴１１２の中にはまり、ユーザーが本体を収納又は取り出すとき、上蓋１１及び底蓋１２が離れることがないようにしてある。
【０００９】
前記水銀表示機２は、上蓋１１の凹部１１１の中にはめ込まれ、且つ前記凹部１１１のスペースを満たし、上蓋１１と水平面を形成している、前記水銀表示機２と底蓋１２の対応面には、内部に水銀２１１を入れた水銀柱２１が設けられ、前記水銀柱２１の両側にはそれぞれ目盛り２２が刻まれた目盛り部を設け、水銀２１１が圧力を受けて上昇したとき、水銀柱２１内の水銀２１１が測定値を表示できるようにしてある。
【００１０】
前記ディスプレーユニット３は、底蓋１２の凹部１２１の中に前記水銀表示機２と対向する形ではめ込まれ、マイクロプロセッサー３１と、液晶ディスプレー・パネル３２及び８個の発光部品３３によって構成されている。
本実施例では、各発光部品３３は発光ダイオードであり、前記マイクロプロセッサー３１は装置全体の作動を制御し、且つ液晶ディスプレー・パネル及び発光部品３３によって血圧数値状態を表し、各発光部品３３の色はそれぞれ赤・黄・緑・白などの色によって下記の数値を表す。
例えば、赤色は収縮圧１４０以下、拡張圧９０以下を表し、黄色は収縮圧１３１〜１３９、拡張圧８５〜８９を表し、緑色は収縮圧９０〜１３０、拡張圧５０〜８４を表し、白色は収縮圧０以上、拡張圧５０以上を表す。
そして上述の血圧測定範囲の数値は、世界衛生組織ＷＨＯの規定する血圧範囲数値に基づいて設定したものである。
【００１１】
前記測定装置４は、腕帯４１及びホース４２を備え、且つ前記腕帯４１とディスプレー装置３は前記ホース４２によって接続され、血圧計の表示装置が使用される時、前記ホース４２が空気を腕帯４１へ送る。
前記マイクロプロセッサー３１は圧力に感応し脈拍アナログ信号と血圧アナログ信号を受け取ることの出来る圧力センサー３１１を備え、前記脈拍信号と血圧信号はそれぞれ脈拍演算アンプ３１２及び血圧演算アンプ３１３によってアナログ・デジタル変換機３１４へ送られ、さらにマイクロプロセッサー３１５によって発光部品３３及び液晶ディスプレー・パネル３２へ伝送され、これによりユーザーはその測定値を知ることが出来るようになっている。
【００１２】
図３は、本考案の作動フローチャートを示す。
血管の圧力が圧力センサー３１１に伝送されると、前記圧力センサー３１１が脈拍アナログ信号及び血圧アナログ信号をそれぞれ脈拍演算アンプ３１２及び血圧演算アンプ３１３によってアナログ・デジタル変換機３１４へ送り、さらにマイクロプロセッサー３１５によって発光部品３３及び液晶ディスプレー・パネル３２へ伝送し、これによりユーザーがその測定値を知ることが出来る。
前記水銀柱２１の中の水銀２１１は、血管の圧力を受けると、前記水銀柱２１の中の水銀２２１をもう一方の方向に押し付け、ユーザーは前記目盛り２２によって測定した血管の圧力値を知ることが出来、且つ前記ディスプレー装置３が同調して前記信号を処理し、発光部品３３及び液晶ディスプレー・パネルによってその測定値を表示する。
【００１３】
以上の説明は、本考案の実施可能な具体的説明であるが、これらの実施例は本考案の実用新案登録請求範囲を制限するものではなく、凡そ本考案の技術思想を逸脱せずになされた同等効果の実施又は変更は、全て本考案の実用新案登録請求範囲内に含まれるものとする。
【図面の簡単な説明】
【００１４】
【図１】本考案に係る血圧計の表示装置の立体図である。
【図２】本考案に係る血圧計の表示装置の立体分解図である。
【図３】本考案に係る血圧計の表示装置の作動フローチャートである。
【符号の説明】
【００１５】
１・・・・・本体
１１・・・・上蓋
１１１・・・凹部
１１２・・・嵌合穴
１２・・・・底蓋
１２１・・・凹部
１２２・・・嵌合かぎ
２・・・・・水銀表示ユニット
２１・・・・水銀柱
２１１・・・水銀
２２・・・・目盛り部
３・・・・・ディスプレーユニット
３１・・・・マイクロプロセッサー
３１１・・・圧力センサー
３１２・・・脈拍演算アンプ
３１３・・・血圧演算アンプ
３１４・・・アナログ・デジタル変換機
３１５・・・マイクロプロセッサー
３２・・・・液晶ディスプレー・パネル
３３・・・・発光部品
４・・・・・ホルダー
４１・・・・腕帯
４２・・・・ホース
５・・・・・ホルダー
【図１】
0003105854.tif 000003
【図２】
0003105854.tif 000004
【図３】
0003105854.tif 000005